(57)【要約】【課題】端子金具に対する充分な保持力を確保しつつコネクタの小型化を図る。【解決手段】コネクタは、端子金具を収容するキャビティ８が上方へ開放して形成され、端子金具を上方から収容可能なインナハウジング１Ｕ，１Ｌと、インナハウジング１Ｕ，１Ｌを収容するアウタハウジング３とを備えている。キャビティ８には、端子金具に係止し長手方向後方へ抜け止めする撓み不能な係止受け部と、キャビティ８の並列方向に沿う方向へ撓み可能でかつ対をなして対向し、端子金具に係止して上方への抜けを規制する抜け止め爪１２とが設けられ、抜け止め爪１２は隣接するキャビティ８間で端子金具の長手方向にずれて配置されている。【選択図】図１
2015207511.tif 000002
【特許請求の範囲】
【請求項１】
電線の端末部にそれぞれ接続される複数の端子金具と、
前記各端子金具を収容するためのキャビティが並列して設けられるとともに、前記キャビティが全長に亘って開放して形成されることで、前記端子金具を前記キャビティに対してその開放側から収容可能なインナハウジングと、
このインナハウジングを収容するアウタハウジングとを備えたコネクタであって、
前記各キャビティには、
前記端子金具を収容した状態で、前記端子金具に係止し前記端子金具を長手方向後方へ抜け止めする撓み不能な係止受け部と、
前記キャビティの並列方向に沿う方向へ撓み可能にかつ対をなして対向し、前記端子金具に係止することで前記端子金具を前記キャビティへの収容方向と逆方向への抜けを規制する抜け止め爪とが設けられ、
かつ前記抜け止め爪は隣接するキャビティ間で前記端子金具の長手方向にずれて配置されていることを特徴とするコネクタ。
【請求項２】
前記インナハウジングは複数段に積み上げ可能に形成され、
前記抜け止め爪は前記キャビティの底壁から前記インナハウジングの積み上げ方向へ突出して形成され、積み上げ方向で上段側に隣接するインナハウジングには、下段側に隣接する前記インナハウジングの抜け止め爪の上方に開口して下段側に隣接する前記インナハウジングの前記抜け止め爪の係止状況を視認可能な窓部が形成されていることを特徴とする請求項１記載のコネクタ。
【請求項３】
前記インナハウジングには、積み上げ方向で隣接するインナハウジング同士を連結する連結部が突設され、前記アウタハウジングには前記連結部に係止して前記各インナハウジングと前記アウタハウジングとを合体可能とするロック部が形成されていることを特徴とする請求項２記載のコネクタ。
【発明の詳細な説明】
【技術分野】
【０００１】
本発明はコネクタに関するものである。
【背景技術】
【０００２】
下記特許文献１に開示されたコネクタは、ランス構造を工夫することによって全体の小型化を図ったものである。具体的には、キャビティ内に配されたランスは、その左右両側面から前方と後方へそれぞれ延出したアームを有している。各アームはキャビティ内の底壁に接続され、これによってランスは両持ちの構造となっている。また、ランスを係止解除方向に撓み動作させるための係止解除突起が、ランスの左右のアームのうち一方のアームのみに設けられている。こうすることで、左右のアームの双方に係止解除突起を設ける場合に比較してキャビティ間ピッチを詰めてコネクタの小型化を達成している。
【０００３】
加えて、コネクタを小型化すると、ランスも小型・薄肉化するため、端子金具に対する保持力が低下するが、ランスを両持ち構造とすることで、片持ち構造に比べてランスの撓み剛性が高まるため、端子金具に対する保持力も併せて確保されている。
【先行技術文献】
【特許文献】
【０００４】
【特許文献１】特開２０１２−２０９２２３号公報
【発明の概要】
【発明が解決しようとする課題】
【０００５】
しかし、上記のものではランスの片側のみとはいえ、係止解除突起をアームから張り出した構造であり、キャビティ間の狭ピッチ化には改良すべき余地が十分にある。また、更なる小型化を考慮した場合には、両持ちランスといえども充分な端子保持力を得るには不足する場合もある。
【０００６】
本発明は上記のような事情に基づいて完成されたものであって、端子金具に対する充分な保持力を確保しつつ小型化を図ることができるコネクタを提供することを目的とする。
【課題を解決するための手段】
【０００７】
本発明のコネクタは、電線の端末部にそれぞれ接続される複数の端子金具と、各端子金具を収容するためのキャビティが並列して設けられるとともに、キャビティが全長に亘って開放して形成されることで、端子金具をキャビティに対してその開放側から収容可能なインナハウジングと、このインナハウジングを収容するアウタハウジングとを備えたコネクタであって、各キャビティには、端子金具を収容した状態で、端子金具に係止し端子金具を長手方向後方へ抜け止めする撓み不能な係止受け部と、キャビティの並列方向に沿う方向へ撓み可能にかつ対をなして対向し、端子金具に係止することで端子金具をキャビティへの収容方向と逆方向への抜けを規制する抜け止め爪とが設けられ、かつ抜け止め爪は隣接するキャビティ間で端子金具の長手方向にずれて配置されていることを特徴とする。
【発明の効果】
【０００８】
本発明において、端子金具がインナハウジングの各キャビティに対しその開放側（上方）から収容されると、端子金具は係止受け部との係止により、長手方向後方への抜け止めがなされる。この場合、端子金具に対する係止受け部の係止は非弾性的な係止であるため、端子金具に対する保持力を高めることができる。
【０００９】
また、端子金具は対をなす抜け止め爪との弾性係止によって上方への外れ止めもなされている。しかも、抜け止め爪は並列方向で隣接するキャビティ間において、長手方向にずらして配置されているため、端子金具を係止する際に拡開変形しても、隣りの抜け止め爪同士が干渉してしまうことがない。したがって、隣接する抜け止め爪間で互いの撓み代を確保する必要がない分、キャビティ間の寸法を詰めることができ、狭ピッチ化を通じてコネクタを小型化することができる。
【図面の簡単な説明】
【００１０】
【図１】実施例１において、下段側のインナハウジングを示す平面図
【図２】同じく側面図
【図３】同じく正面図
【図４】インナハウジングを上下に積み上げた状態を示す平面図
【図５】同じく側面図
【図６】同じく正面図
【図７】両インナハウジングをアウタハウジングに組込んだ状態を示す正面図
【図８】同じく平面図
【図９】同じく側断面図
【図１０】実施例２においてインナハウジングをアウタハウジングに組込んだ状態を示す側面図
【発明を実施するための形態】
【００１１】
本発明における好ましい実施の形態を説明する。  
（１）本発明のコネクタにおいては、前記インナハウジングは複数段に積み上げ可能に形成され、前記抜け止め爪は前記キャビティの底壁から前記インナハウジングの積み上げ方向へ突出して形成され、積み上げ方向で上段側に隣接するインナハウジングには、下段側に隣接する前記インナハウジングの抜け止め爪の上方に開口して下段側に隣接する前記インナハウジングの前記抜け止め爪の係止状況を視認可能な窓部が形成される構成としてもよい。  
このような構成によれば、インナハウジングを積み上げたときに、下段側のインナハウジングの抜け止め爪による端子金具の係止状況を、上段側のインナハウジングの窓部を通して視認することができる。
【００１２】
（２）また、前記インナハウジングには、積み上げ方向で隣接するインナハウジング同士を連結する連結部が突設され、前記アウタハウジングには前記連結部に係止して前記各インナハウジングと前記アウタハウジングとを合体可能とするロック部が形成される構成としてもよい。  
このような構成によれば、各インナハウジングとアウタハウジングとの合体手段が、インナハウジング同士の連結手段を利用しているため、専用の合体手段を設ける場合に比べて構成を簡素化することができる。
【００１３】
次に、本発明のコネクタを具体化した実施例１及び２について、図面を参照しつつ説明する。  
＜実施例１＞
図１乃至図９は本発明の実施例１を示している。実施例１のコネクタは、上下二段に積み上げられたインナハウジング１Ｕ，１Ｌと、このインナハウジング１Ｕ，１Ｌに収容される複数の雌端子金具２と、積み上げ状態にあるインナハウジング１Ｕ，１Ｌ及び各雌端子金具２を収容するアウタハウジング３とから構成されている。
【００１４】
（雌端子金具２の構成）  
雌端子金具２は導電金属製の板材を曲げ加工して形成されている。図９に示すように、雌端子金具２の前部には雄端子金具との接続のための端子接続部２Ａを有している。この端子接続部２Ａは角筒状に形成され、前方から雄端子金具が進入可能である。また、端子接続部２Ａの図示下面であって前端部寄りの部位には、係止突起２Ｂが突出形成されている。この係止突起２Ｂはインナハウジング１Ｕ，１Ｌに係止して雌端子金具２がインナハウジング１Ｕ，１Ｌから後方へ抜けないようにする。一方、雌端子金具２の後部には電線４をかしめ付けて接続する電線接続部２Ｃが形成されている。
【００１５】
（インナハウジング１Ｕ，１Ｌの構成）
図１乃至図３は下段側インナハウジング１Ｌを示している。下段側インナハウジング１Ｌは合成樹脂製であり、平板状の基板５を有している。基板５の後半部における幅方向両側には前後方向に沿って側壁６が立設されている。また、基板５の後半部において両側壁６の間には等ピッチ間隔で仕切り板７が設けられている。各仕切り板７は基板５の後半部において前後方向に沿って突出形成されている。図３に示すように、各仕切り板７の上縁の高さは両側壁６の上縁の高さと等しくしてあり、上下にインナハウジング１Ｕ，１Ｌが積み上げられたときには、下段側インナハウジング１Ｌの両側壁６の上縁及び各仕切り板７の上縁に沿って上段側インナハウジング１Ｕを当接させて支持することができる。
【００１６】
隣接する仕切り板７相互の間と幅方向両端に位置する仕切り板７と両側壁６との間の各スペースは、これら各スペースから前方へ延長した基板５の前半部上のスペースとともにキャビティ８を構成して雌端子金具２及び各雌端子金具２に接続された電線４を収容することができる。各キャビティ８を含め、インナハウジング１Ｕ，１Ｌは積み上げ方向となる図示上方へ開放した形態であり、これによりキャビティ８は雌端子金具２及び電線４を上方から収容可能である。
【００１７】
各キャビティ８の前後方向の中央部であって、隣接する仕切り板７間の幅方向中央部には係止突部９が設けられている。図９に示すように、各係止突部９は基板５上から突出して形成されており、雌端子金具２の端子接続部２Ａの後端に非弾性的に係止する。
【００１８】
基板５の前半部において、図１に示すように、各キャビティ８には前後に窓部１０Ｆ，１０Ｒが開口している。前側窓部１０Ｆは基板５の前縁から後方へ略方形状に切り欠くことによって形成されている。図９に示すように、各キャビティ８に雌端子金具２が収容されると、雌端子金具２の係止突起２Ｂが各前側窓部１０Ｆの後縁に係止するようにしてある（前側窓部の後縁は本発明の係止受け部に相当する）。
【００１９】
また、基板５の上面の前縁であって各前側窓部１０Ｆを幅方向に挟んだ部位には、起立片１１が上方へ向けて起立して形成されている。図３に示すように、基板５の幅方向両側縁部には支持部２８が起立して形成され、幅方向両端部に位置する起立片１１とは段差を介して連続している。支持部２８は上下にインナハウジング１Ｌ，１Ｕを積み上げたときに、図５に示すように、下段側の支持部２８の上面に上段側の支持部２８Ａの下面が当接することで、上段側インナハウジング１Ｕを支持することができる。
【００２０】
図１に示すように、各キャビティ８において前後の窓部１０Ｆ，１０Ｒのいずれか一方には、窓部１０Ｆ，１０Ｒを幅方向に挟んで一対の抜け止め爪１２が立設されている。この抜け止め爪１２の各ペアは、対応する雌端子金具２の端子接続部２Ａの上面に係止して上方への外れ止めをする。図１に示すように、抜け止め爪１２のペアは隣接するキャビティ８毎に前後の位置を交互にずらして配置されている。具体的には、図１に示す下段側インナハウジング１Ｌにおいては、図中、最も上方に示されている抜け止め爪１２のペアは前側窓部１０Ｆに配され、その下のペアは後側窓部１０Ｒに配され、以後、これを交互に繰り返すことで全体の配置がなされている。
【００２１】
各抜け止め爪１２のペアは、対応する窓部１０Ｆ，１０Ｒを幅方向に挟んだ部位において、図３に示すように、上方へ突出しかつ幅方向外方（互いに幅方向へ離れる方向）へ撓み可能に形成されている。各抜け止め爪１２のペアにおいて、それぞれの先端部には内向きに爪部１２Ａが突出している。抜け止め爪１２のペア間へ雌端子金具２の端子接続部２Ａが上方から押し込まれると、抜け止め爪１２のペアは幅方向外方へ互いに離間する方向に撓み変形する。そして、端子接続部２Ａが基板５上に支持される深さまで押し込まれると、共に弾性復帰して端子接続部２Ａの両側面を幅方向から挟むとともに、両爪部１２Ａが端子接続部２Ａの上面に係止する。これにより、雌端子金具２が下段側インナハウジング１Ｌに対し上方へ抜け止め状態で保持される。
【００２２】
なお、幅方向で隣接する各キャビティ８において、幅方向で隣り合う抜け止め爪１２は、図３に示すように、正面視で一部がラップするような位置関係としてある。
【００２３】
図３に示すように、抜け止め爪１２は上端部に向かうにつれて徐々に内向きとなるように斜めに突出している。抜け止め爪１２の上端の高さ位置は、各仕切り板７の上縁の高さ位置より僅かに低めであり、支持部２８の上面の高さより高くなるように設定されている。したがって、両インナハウジング１Ｕ，１Ｌが上下に積み上げられた状態では、抜け止め爪１２の上端の高さは上段側インナハウジング１Ｕにおける基板５の下面の高さよりも僅かに低くなっている。
【００２４】
また、インナハウジング１Ｕ，１Ｌが上下に積み上げられた状態では、下段側インナハウジング１Ｌにおける各抜け止め爪１２のペアは上段側インナハウジング１Ｕにおける対応する窓部１０Ｆ，１０Ｒの真下に位置しており、図４に示すように、下段側インナハウジング１Ｌにおける抜け止め爪１２の各ペアの上端部が、平面視で、上段側インナハウジング１Ｕにおいて対応する窓部１０Ｆ，１０Ｒ内に臨むようになっている。したがって、下段側インナハウジング１Ｌにおける各抜け止め爪１２による雌端子金具２の係止状況を、窓部１０Ｆ，１０Ｒを通して視認することができる。
【００２５】
下段側インナハウジング１Ｌの基板５の下面において、図２、図３に示すように、後端部寄りの幅方向中央部には後述するアウタハウジング３に対するロック突部１３が下向きに突出して形成されている。また、下段側インナハウジング１Ｌの両側壁６の後端寄りの上縁には上段側インナハウジング１Ｕとの連結のために一対の連結突部１４が、上方と幅方向外方の双方へ突出した状態で形成されている。
【００２６】
上段側インナハウジング１Ｕは基本的構成は下段側インナハウジング１Ｌと同様であるが、次の点で相違している。  
（１）抜け止め爪１２のペアの前後の配列が下段側インナハウジング１Ｌとは逆配列となっている。すなわち、図４に示すように、両インナハウジング１Ｕ，１Ｌが積み上げられたときに、上段側インナハウジング１Ｕにおいて抜け止め爪１２が配されない側の窓部の下方に、下段側インナハウジング１Ｌの抜け止め爪１２のペアが位置する。
【００２７】
（２）上段側インナハウジング１Ｕにはロック突部１３が設けられていない。
【００２８】
（３）上段側インナハウジング１Ｕには、下段側インナハウジング１Ｌの連結突部１４に係止する一対の連結アーム１５が設けられている。両連結アーム１５は上段側インナハウジング１Ｕの両側壁６の外面の後端部寄りにおいて下向きに突出して設けられ、略Ｃ字形状をなすとともに、外方への撓みが許容されてその内側に連結突部１４を係止させることで、上下のインナハウジング１Ｕ，１Ｌ同士を連結状態に保持することができる。
【００２９】
（４）下段側インナハウジング１Ｌの支持部２８の下面は基板５の下面と略面一であったが、上段側インナハウジング１Ｕの支持部２８Ａの下面は基板５の下面の高さ位置からさらに下方へ突出するよう延長して形成され、両インナハウジング１Ｌ，１Ｕを積み上げたときに、上段側の支持部２８Ａの下面が下段側の支持部２８の上面に当接するようにしてある（図５、図６参照）。
【００３０】
（アウタハウジング３の構成）  
図８、図９に示すように、アウタハウジング３は合成樹脂材にて中空のボックス形状に形成されており、全体は図示しない雄コネクタと嵌合可能である。アウタハウジング３の内部には後方へ開口する収容空間１６が形成され、上下に積み上げられた状態のインナハウジング１Ｕ，１Ｌをほぼ隙間なく包囲した状態で収容可能である。収容状態では、上下のインナハウジング１Ｕ，１Ｌの各起立片１１がアウタハウジング３の前壁の内面と当接し、上下のインナハウジング１Ｕ，１Ｌの後端がアウタハウジング３の後端と揃うようにしてある。
【００３１】
アウタハウジング３の前壁には複数のタブ挿通孔１７が上下二段に配されている。各タブ挿通孔１７はアウタハウジング３の前壁を貫通して形成されており、両インナハウジング１Ｕ，１Ｌにおける各キャビティ８と同軸で連通するようにしてある。
【００３２】
アウタハウジング３の幅方向両側面であって後端部寄りには、図９に示すように、逃がし溝１８が切欠き形成されている。逃がし溝１８は、積み上げ状態にある両インナハウジング１Ｕ，１Ｌをアウタハウジング３に対し後方から収容させる際に、連結状態にある連結突部１４と連結アーム１５との干渉を避けて内部に嵌め入れ可能としている。
【００３３】
アウタハウジング３の上面には図示しない雄コネクタとのロックを行うためのロックアーム１９が配されている。ロックアーム１９はアウタハウジング３の前端から後方へ向けて片持ち状に延びて、上下方向に撓み可能に形成されている。ロックアーム１９の途中にはロック突起２０が形成され、後端にはロック解除操作のための操作部２１が形成されている。
【００３４】
一方、アウタハウジング３における下面後縁には、略全幅に亘って鍔縁２２が下向きに張り出し形成されている。また、アウタハウジング３の下面後縁において幅方向中央部には鍔縁２２にかけてロック孔２３が開口しており、下段側インナハウジング１Ｌのロック突部１３と弾性的に係止することで、積み上げ状態にある両インナハウジング１Ｕ，１Ｌとアウタハウジング３とを合体させることができる。
【００３５】
次に、上記のように構成された実施例１の作用効果を説明する。下段側インナハウジング１Ｌの各キャビティ８に対し上方から電線付き雌端子金具２を収容させる。これにより、各雌端子金具２の係止突起２Ｂは前側窓部１０Ｆの後縁に係止するとともに、端子接続部２Ａの後端が係止突部９にそれぞれ係止する。これにより、各雌端子金具２が後方への抜け止めがなされる。また、雌端子金具２がキャビティ８内に収容される際には、雌端子金具２の端子接続部２Ａが各抜け止め爪１２のペアの間を幅方向外方へ撓み変形させつつ両間に押し込まれる。そして、端子接続部２Ａが基板５上に当接すると、抜け止め爪１２のペアは弾性復帰して端子接続部２Ａを両側から挟んだ状態で両爪部１２Ａが端子接続部２Ａの上面に係止する。これにより、雌端子金具２が上方へ抜け止めされた状態で保持される。
【００３６】
上記の要領で、上段側インナハウジング１Ｕの各キャビティ８に対しても電線付き雌端子金具２を収容させる。この収容作業が完了したら、上段側インナハウジング１Ｕを下段側インナハウジング１Ｌに積み上げる。このときには、上段側インナハウジング１Ｕの基板５の下面が、下段側インナハウジング１Ｌの両側壁６の上縁及び各仕切り板７の上縁に当接し、さらには上段側の支持部２８Ａの下面が下端側の支持部２８の上面に当接することによって支持される。これと同時に、連結突部１４と連結アーム１５とが係止するため、上下の両インナハウジング１Ｕ，１Ｌ同士が連結状態に保持される。
【００３７】
次に、積み上げ状態にある両インナハウジング１Ｕ，１Ｌを、アウタハウジング３の後方から差し込む。そして、両インナハウジング１Ｕ，１Ｌの各起立片１１がアウタハウジング３の前壁の内面に当接する深さまで差し込まれる間に、下段側インナハウジング１Ｌのロック突部１３がアウタハウジング３のロック孔２３に弾性的に係止する。これにより、積み上げ状態にある両インナハウジング１Ｕ，１Ｌがアウタハウジング３から抜け止めされた状態でアウタハウジング３の収容空間１６に収容される。
【００３８】
実施例１の効果は次の通りである。  
インナハウジング１Ｕ，１Ｌに装着された雌端子金具２は係止突部９にそれぞれ非弾性的に係止しているため、後方への抜けに対する保持力は弾性的な係止よりも高くなっている。また、本実施例の場合、端子接続部２Ａに係止突起２Ｂを設けて前側窓部１０Ｆにも非弾性的に係止するようにしたため、上記保持力は倍増されている。
【００３９】
また、各インナハウジング１Ｕ，１Ｌにおける抜け止め爪１２のペアは、隣接するキャビティ８毎に前後の配列を交互に異ならせるようにしている。したがって、隣接するキャビティ８において幅方向で隣接する抜け止め爪１２同士を正面視で一部ラップする設定とするようにし、撓み変形時にも互いに干渉する虞がない。このため、キャビティ８間ピッチを詰めることができ、もってインナハウジング１Ｕ，１Ｌを幅方向に小型化し、その結果、コネクタ全体を小型化することができる。
【００４０】
さらに、インナハウジング１Ｕ，１Ｌを上下に積み上げた状態で、上段側インナハウジング１Ｕにおける前側窓部１０Ｆを通して下段側インナハウジング１Ｌの抜け止め爪１２が雌端子金具２を正規に係止しているか否かの状態を視認することができる。
【００４１】
さらにまた、雌端子金具２がインナハウジング１Ｕ，１Ｌの各キャビティ８に対し正規位置で装着されているときには、端子接続部２Ａの前端の位置は、図９に示すように、各起立片１１の前面の位置とほぼ面一となるようにしてある。しかし、仮に、両インナハウジング１Ｕ，１Ｌに装着された雌端子金具２の中で、インナハウジング１Ｕ，１Ｌから前方へ突出したものがあったとしても、そのような雌端子金具２はアウタハウジング３の前壁の内面によって正規位置にまで押し戻される。したがって、インナハウジング１Ｕ，１Ｌをアウタハウジング３に収容する作業を行うことで、各雌端子金具２を自動的に正規位置に矯正することができる、という効果も得られる。
【００４２】
＜実施例２＞  
図１０は本発明の実施例２を示している。実施例１においては、積み上げ状態にある両インナハウジング１Ｕ，１Ｌとアウタハウジング３との合体を、ロック突部１３とロック孔２３との係止によって行ったが、実施例２では実施例１の係止構造に代えて、インナハウジング１Ｕ，１Ｌ同士の連結構造を利用した係止構造に変更したものである。
【００４３】
すなわち、アウタハウジング２４の幅方向両側面において、後縁からは二条のスリット２５が高さ方向に離間して平行に切り込まれている。この両スリット２５によって挟まれた部位は肉抜き部２６とされることで、この肉抜き部２６とされた内側に連結突部１４と連結アーム１５とを嵌め入れることができ、かつ幅方向外方へ撓み可能な係止アーム２７がそれぞれ後方へ向けて片持ち状に延出形成されている。
【００４４】
以上のように構成された実施例２によれば、積み上げ状態にある両インナハウジング１Ｕ，１Ｌをアウタハウジング２４に収容させれば、係止アーム２７が撓み変形しつつ係止状態にある連結突部１４と連結アーム１５に係止することで、両インナハウジング１Ｕ，１Ｌとアウタハウジング２４とを合体させることができる。このように、インナハウジング１Ｕ，１Ｌとアウタハウジング２４との合体構造がインナハウジング１Ｕ，１Ｌ同士の連結構造を利用しているため、専用の合体構造を設定する場合に比較して構造を簡素化することができる。  
他の構成は実施例１と同様であり、もって同様の作用効果を発揮することができる。
【００４５】
＜他の実施例＞
本発明は上記記述及び図面によって説明した実施例１，２に限定されるものではなく、例えば次のような実施例も本発明の技術的範囲に含まれる。  
（１）上記実施例では、雌端子金具２の後方への抜け止めについて、係止突部９による係止に加えて、雌端子金具２の係止突起２Ｂを前側窓部１０Ｆの開口縁に係止させるようにしたが、いずれか一方のみの係止であってもよい。  
（２）上記実施例では、インナハウジング１Ｕ，１Ｌを上下二段に積み上げた形態を示したが、積み上げの段数は限定されるべきものではない。  
【符号の説明】
【００４６】
１Ｕ，１Ｌ…インナハウジング
２…雌端子金具
３，２４…アウタハウジング
４…電線
８…キャビティ
９…係止突部（係止受け部）
１０Ｆ…前側窓部
１２…抜け止め爪
１４…連結突部（連結部）
１５…連結アーム（連結部）
２７…係止アーム（ロック部）
【図１】
2015207511.tif 000003
【図２】
2015207511.tif 000004
【図３】
2015207511.tif 000005
【図４】
2015207511.tif 000006
【図５】
2015207511.tif 000007
【図６】
2015207511.tif 000008
【図７】
2015207511.tif 000009
【図８】
2015207511.tif 000010
【図９】
2015207511.tif 000011
【図１０】
2015207511.tif 000012